(57)【要約】  ヘアトリミング装置等の動作ヘッドが、例えば、ハンドルの形態の電源ユニットに、ハンドル上の雌型部材及びトリミング装置上の雄型部材を備える差し込み連結具により、機械的及び電気的に接続される。雄型部材はプラグ部を有し、これは雌型部材のスリーブ部に摺動可能に係合し、スリーブ部内の差し込みスロットと協働するためのピン突起部を有する。電気接触部は、プラグ部及びスリーブ部内で中央に配置され、これ自体が更なる電気接触部を形成する。囲い板は雄型部材を囲い、電気接触部への水の浸入を防ぐための封止部を通じてハンドルに係合する。
2010536461.tif 000002
【特許請求の範囲】
【請求項１】
手持ち式装具において、電源ユニットを動作ヘッドに、電気的に及び機械的に接続するための連結具であって、
前記連結具は、相補的な雄型及び雌型部材を含み、前記雌型部材は、内側の第１電気接触部、及び円筒形の外側のスリーブ部を含み、前記雄型部材は、前記スリーブ部内で摺動可能に係合可能な部分を含み、当該部分は、前記雄型部材を前記雌型部材に取り外し可能に固定するために、前記スリーブ部内に形成される差し込みスロットと係合する半径方向の突起部を有し、前記雄型部材は、前記雌型部材の前記第１電気接触部と電気的に接続するための、第２電気接触部を含み、前記スリーブ部及び前記雄型の部分は、前記第１及び第２電気接触部から絶縁された更なる電気接触部を提供する、連結具。
【請求項２】
前記第１及び第２接触部の少なくとも一方が、前記差し込みスロットの端部に設けられた固定用凹部内に前記突起部を推進するために、ばね仕掛けである、請求項１に記載の連結具。
【請求項３】
前記雄型の部分が、前記スリーブ部内の各差し込みスロットと係合するための、直径方向に対向する一対の突起部を有する、請求項１に記載の連結具。
【請求項４】
封止要素が、前記スリーブ部の外側で、前記雌型部材を前記雄型部材に対して封止するために設けられる、請求項１に記載の連結具。
【請求項５】
前記雄型部材が、前記スリーブ部を囲うための、封止囲い板を有する、請求項４に記載の連結具。
【請求項６】
環状封止部が、前記囲い板と協働して封止するために、前記差し込みスロットの軸方向内側で前記雌型部材の周囲に延びる、請求項５に記載の連結部材。
【請求項７】
前記電源ユニットが、前記手持ち式装具のハンドルを形成する、請求項１に記載の連結部材。
【請求項８】
前記雌型部材が、前記電気的な装具の細長いハンドルの端部に位置し、前記ハンドルは、電池区画と電気伝導体とを収容し、当該電気伝導体は、前記第１電気接触部及び前記スリーブ部を、前記電池区画内に収容される電池の各端子に接続する、請求項１に記載の連結部材。
【請求項９】
前記ハンドルが、前記電池から前記動作ヘッドへの電流の供給を制御するためのスイッチを含む、請求項８に記載の連結具。
【請求項１０】
前記スイッチが、前記電池区画内に収容される再充電可能な電池への再充電電流の供給を制御するために動作可能である、請求項９に記載の連結具。
【発明の詳細な説明】
【技術分野】
【０００１】
本発明は、電源ユニットを手持ち式装具の動作ヘッドに電気的、及び機械的に接続するための連結具に関する。本発明は、電池式パーソナルケア装具のハンドルの接続のための連結具への特定の用途を有し、これに関して本明細書において具体的に記載され、装具内において電池が、動作ヘッド、例えば、安全かみそりヘッド、ヘアトリマーヘッド、マッサージ器などのハンドル内に収容され、動作ヘッドは、使用中に電池から供給される電流によって駆動する電気装置を含む。
【背景技術】
【０００２】
周知の種類の連結具は、雄型連結部材が、雌型部材の円筒形スリーブ部内へ挿入可能であり、スリーブ部内に形成されるスロットと協働するための、半径方向に突出するピンを有する差し込み連結具である。このような差し込み連結具は、広範に使用され、２つの部品の間で、機械的接続が確実であるが、取り外し可能な機械的接続をもたらす。差し込み連結具はまた、電球を取り外し可能にランプホルダーに接続する場合など、遮断可能な電気的接続を得るために、広範に使用される。
【発明の概要】
【発明が解決しようとする課題】
【０００３】
しかしながら、例えば、通常の使用において水に浸される安全かみそりなどの手持ち式パーソナルケア装具において必要とされ得るような、部品の間において強力な防水の電気的接続が所望され、これがまた互いに堅く固定されるような用途において、一般的には別の連結構成に頼られてきた。
【課題を解決するための手段】
【０００４】
上記に鑑みて、本発明により、手持ち式装具の電源ユニットを、動作ヘッドへと電気的に及び機械的に接続するための連結具が提供され、当該連結具は、相補的な雄型及び雌型部材を含み、雌型部材は、内側の第１電気接触部、及び円筒形の外側のスリーブ部を含み、雄型部材は、スリーブ部に摺動可能に係合可能な部分を含み、当該部分は、雄型部材を雌型部材に取り外し可能に固定するために、スリーブ部に形成される差し込みスロットと係合する半径方向の突起部を有し、雄型部材は、雌型部材の第１電気接触部との電気的接続のための第２電気接触部を含み、スリーブ部及び雄型の部分は、第１及び第２接触部から絶縁された更なる電気接触部を提供する。
【０００５】
電源ユニットが手持ち式装具のハンドルを形成する場合、本発明の連結具は、確実に信頼性のある電気的接続を実施することができ、一方で、頑丈な構成が動作ヘッドを確実にハンドルに固定し、装具の使用中にハンドルと動作ヘッドとの間の相対的な移動を防ぐようにする。また、例えば、同一のハンドル及び電源を使用するために、１つの形態の動作ヘッドから別のものへと交換する過程において、動作ヘッドとハンドルの容易な分離及び再取り付けを可能にする。
【０００６】
便利には、雌型及び雄型部材の内部にそれぞれ配置される第１及び第２接触部の少なくとも一方は、ばね仕掛けであり、これは、連結部材が係合したときに接触部の間の電気的接触を補助することに加え、差し込みスロットの端部に設けられた固定用凹部内に雄型の部分の突起部を推進するために有効であり得る。
【０００７】
好ましい実施形態では、スリーブ部の外側で、雌型部材を雄型部材に対して封止するために封止要素が設けられており、組み立てられた連結部内に水分が浸入することが防がれる。雄型部材は、スリーブ部を囲むための封止囲い板を含むことができ、環状封止部は、好ましくは、囲い板と協働するための差し込みスロット（１つ又は複数）の軸方向内側でスリーブ部の周囲に延びるように配置され、その結果、電気接触部は、雄型及び雌型部材が互いに固定されたときに、完全に囲われる。
【０００８】
便利には、雌型部材は、例えば、細長いハンドルの端部でハンドル上に設けられており、ハンドルは、電池区画と、電池区画内に配置される電池の各端子に電気接触部を接続するための電気伝導体と、を収容する。ハンドルはまた、電池から動作ヘッドへの電流の供給を制御し、かつ場合により、また電池区画に収容される再充電可能な電池への再充電電流の供給を制御する、スイッチを組み込むことができる。
【０００９】
電源ユニットとともに使用するために、異なる形態の動作ヘッドが使用され得る。例えば、動作ヘッドは、電源ユニットから供給される電気駆動電流を受け取るための、雄型連結部材の電気接触部に電気的に接続される電気モーターを含んでもよい。提供され得る特定の形態の動作ヘッドとしては、安全かみそりカートリッジを搭載するように適合され、動作ヘッド内に含まれるモーターによって駆動される振動生成装置を有する湿式かみそりヘッド、安全かみそりカートリッジを搭載するように適合され、動作ヘッド内に含まれるモーターによって駆動される液体分配装置を有する液体分配かみそりヘッド、動作ヘッド内に含まれるモーターによって駆動されるように構成された１つ以上のブレードアセンブリを備えるヘアトリマー、動作ヘッド内のモーターによって駆動されるマッサージ部材を備えるマッサージ装置、及び剥離装置が挙げられる。
【００１０】
本発明の前述の、並びに他の特徴及び利点が、以下の好ましい実施形態の詳細から、より完全に理解されるであろう。
【図面の簡単な説明】
【００１１】
【図１】組み立てられ、互いに固定された雄型及び雌型部材を有する、本発明による連結具を通る軸方向の断面図。
【図２】図１に図示される組み立てられた連結具の側面図。
【図３】それぞれ図１及び図２に図示される雌型連結部材及び雄型連結部材を備える、装具ハンドル及びヘアトリミング装置の形態の動作ヘッドを通る軸方向の断面図。
【図４】図３に図示されるハンドル及びヘアトリミング装置の組み立てられた連結具を通る、拡大された軸方向の断面図。
【図５】従来的な安全かみそりカートリッジに搭載するように適合された安全かみそり動作ヘッドと組み合わされたハンドルの斜視図。
【図６】動作部分の第１ブレードアセンブリを備える、図３に図示されるトリミング装置のトリマーユニットの背面図。
【図７】動作部分の第２ブレードアセンブリを備える、図３に図示されるトリミング装置のトリマーユニットの背面図。
【図８】トリマーユニットと組み合わせられた駆動ユニットのモーター及び伝送機を示す斜視図。
【発明を実施するための形態】
【００１２】
図面の図３では、ヘアトリミング装置１及び、該トリミング装置が取り外し可能に接続されるように適合される電源ユニットを形成するハンドル２を含む、手持ち式パーソナル手入れ装具が例示される。ハンドル２は、再充電式電池３が収容される電池区画、及び該ハンドルに搭載されたときに、電池３からトリミング装置への電流の供給を制御するためのスイッチ構成体４を含む。本発明による連結具は、ハンドルをトリミング装置に、電気的及び機械的に接続するために設けられ、連結具は、ハンドル２の雌型連結部材５、及びトリミング装置１の雄型連結部材６を含む。連結具は、図１、２、及び４において、拡大された尺度で図示されている。雌型連結部材５は、ハンドルの上端部に配置され、その端部に固定用凹部９を有する対称な一対の差し込みスロット８を備える、スリーブ部７を含む。第１電気接触部１０が、ピンの形態で、スリーブ部７の内部で中央に位置付けられ、これはばね仕掛けであり、ハンドルの上端部に向かって軸方向に推進される。雄型連結部材６は、スリーブ部７内で摺動係合することによって、雌型連結部材と噛み合うように適合されるプラグ部１１を有し、当該プラグ部は、各差し込みスロット８と協働するために構成された、直径方向に対向する一対のピン突起部１２を有する。第２電気接触部１３は、プラグ部１１の内部で中央に配置され、電気絶縁体１４がその間に配置される。雄型連結部材５と雌型連結部材６とが完全に係合したとき、第１接触部１０と第２接触部１３は、第１接触部のばね荷重により、圧迫されて緊密に隣接する。このばね荷重はまた、ピン突起部１２を差し込みスロット８の固定用凹部９内へと推進するよう機能し、これによって、ハンドル２から意図せず外れることのないように、トリミング装置１を固定する。中央接触部１３を雄型プラグ部１１にばね取り付けすることにより、追加的なばね力が適用され得る。スリーブ部７及びプラグ部１１は、更に電気的接触部を形成し、これらは協働してハンドル内の電池とトリミング装置の間の電流の流れのための回路を完結させる。好ましくは、中央接触部１０、１３は電気コネクタの正極性接続を提供し、接触部７、１１は、電気コネクタの負極性接続を提供する。トリミング装置１は、差し込み連結具の雄型部材及び雌型部材を囲うためのプラグ部１１を囲む、フード又は囲い板１５を含んでおり、これによって、電気接触部への水分の浸入が防がれる。雌型部材は、差し込みスロット８の軸方向内側でスリーブ部７に設けられた周囲の溝に配置される、Ｏリング状封止部などの環状封止部１６を有している。囲い板１５は、封止部１６に対する緊密なフィットを有しており、これによって、雄型及び雌型連結部材が係合したときの、囲い板とハンドルの間の防水接続が確実にされる。
【００１３】
差し込み連結具は、ハンドルとヘアトリミング装置の間の堅く確実な機械的接続をもたらし、一方でまたこれらの間の良好な電気的接続を確実にする。更に、連結具は、トリミング装置をハンドルから分離するよう、容易に開放され得る。これによって、例えば、電池を再充電すること、及び／又は、異なる形態の動作ヘッドを、ハンドル、例えば、図５に図示される安全かみそりヘッド５０に動作可能に接続することを可能にする。この場合、安全かみそりヘッド５０は、従来的なシェービングカートリッジを受容するように適合されており、また安全かみそりヘッド５０は、コインモーターなどの、振動生成装置を駆動するためのモーターを含んでいてもよい。理解されるように、安全かみそりヘッド５０をハンドル２に接続するために利用される連結具は、トリミング装置１に関して先に記載されたものと正確に同じであってもよく、この場合、囲い板１５はハンドルに封止される。これによって、かみそりヘッドが、シェービングカートリッジをすすぐために完全に水に浸された場合であっても、水が電気接触部に触れる恐れがない。
【００１４】
トリミング装置は、駆動ユニット２０及びトリマーユニット２１を含む。雄型連結部材６及び囲い板１５は、駆動ユニットのハウジング２２の上に設けられており、この中に、電気回転モーター２３及びモーターシャフト２５の回転運動を駆動ピンの形態の駆動出力部材２６の往復運動へと変換するための伝送機構２４が収容される。モーターの電気端子は、モーターを駆動するために、ハンドル内の電池３からの電流を供給するため、トリミング装置の電気接触部１１及び１３と接続される。トリマーユニット２１用の取り付けプレート３０が駆動ユニットの前部に接続され、該取り付けプレートは、後に明確になる目的のために、駆動ユニットに対して上下平行運動するように案内される。トリマーユニットは取り付けプレート３０に保持され、その結果、トリマーユニット２１は、取り付けプレート３０に対して回転することができ、したがって、駆動ユニット２０に対しても回転することができる。トリマーユニットは、第１トリマーブレードアセンブリ３２、及び第２トリマーブレードアセンブリ３３を含む。第１ブレードアセンブリ３２は、比較的長く、一直線上であり、トリマーユニットの面板３５に固定して取り付けられた第１トリマーブレード３４、及び、第１トリマーブレードに対して往復運動するように案内され、ブレード駆動要素３７に取り付けられる第２トリマーブレード３６を含む。第２ブレードアセンブリ３３は、比較的短く、凸状の外形を有し、面板３５に固定して取り付けられた第１トリマーブレード３８、及び第１トリマーブレード３８に関する曲線状の経路に沿って往復運動するように案内され、旋回軸４１によって面板３５に取り付けられるブレード駆動要素４０に取り付けられた第２トリマーブレード３９を含む。各ブレード駆動要素３７、４０は、ブレード駆動要素を往復運動させ、またブレード駆動要素に取り付けられたトリマーブレードを往復運動させるために、駆動出力ピン２６が係合可能であるスロット４２を含む。
【００１５】
取り付けプレート３０が、駆動ユニットに対して上方に移される場合、トリマーユニット２１は、取り付けプレートに対して回転され、第１ブレードアセンブリ３２、又は第２ブレードアセンブリ３２のいずれかを、動作位置に選択的に調節することができる。取り付けプレート３０及びトリマーユニットの下方への移動により、駆動出力ピン２６が、動作位置に配置されるトリマーブレードアセンブリ３２又は３３のブレード駆動要素３７又は４０のスロットに係合される。モーター２３の作動は、次に、選択されたトリマーブレードアセンブリを作動させる。一方で、他方のトリマーブレードアセンブリは、駆動出力ピン２６から分離されたままである。
【００１６】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ミリメートル」として開示される寸法は、「約４０ミリメートル」を意味するものである。
【００１７】
「発明を実施するための形態」で引用した全ての文献は、関連部分において本明細書に参考として組み込まれるが、いずれの文献の引用も、それが本発明に対する先行技術であることを容認するものと解釈されるべきではない。この文書における用語のいずれかの意味又は定義が、参照により組み込まれる文献における用語のいずれかの意味又は定義と対立する範囲については、本文書におけるその用語に与えられた意味又は定義を適用するものとする。
【００１８】
以上、本発明の特定の実施形態を図示、説明したが、本発明の趣旨及び範囲から逸脱することなく他の様々な変更及び改変を行うことが可能である点は当業者には自明であろう。したがって、本発明の範囲内にあるそのような全ての変更及び修正を、添付の特許請求の範囲で扱うものとする。
【図１】
2010536461.tif 000003
【図２】
2010536461.tif 000004
【図３】
2010536461.tif 000005
【図４】
2010536461.tif 000006
【図５】
2010536461.tif 000007
【図６】
2010536461.tif 000008
【図７】
2010536461.tif 000009
【図８】
2010536461.tif 000010
【国際調査報告】
2010536461.tif 000011
2010536461.tif 000012
2010536461.tif 000013